(57)【要約】【課題】ろ過膜内蔵ケーシングを列設した実機の膜ろ過装置において、逆洗の開始タイミングの遅れを解消し、逆洗時間の短縮および洗浄水、化学成分の節減を可能とする。【解決手段】ろ過膜内蔵ケーシング３ａ、３ｂ、３ｃを複数、並列させているろ過装置の実機において、２次室から接続管５１ａ、５１ｂ、５１ｃを通じて共通のヘッダ管５に接続されている。ここで、前記ヘッダ管５を前記ケーシング３より高所に、かつ水平方向に配設するとともに、そのヘッダ管５の末端部分には内部の液体を排出できる、開閉用バルブを備えたドレン管５３を設けている。本発明の逆洗方法は、この膜ろ過装置の逆洗に際して、前記のヘッダ管５に化学成分を含む逆洗用洗浄水ｄを充満させた後、その洗浄水ｄを各ケーシング３ａ、３ｂ、３ｃ、に同時に導入する。【選択図】図１
2008207143.tif 000002
【特許請求の範囲】
【請求項１】
並列させた複数のろ過膜内蔵ケーシングからろ過水を取り出すため各ケーシングそれぞれに接続されたヘッダ管に、逆洗用洗浄水を導入して逆洗する膜ろ過装置の逆洗方法であって、前記ヘッダ管に逆洗用洗浄水を充満させた後、その洗浄水を各ケーシングに同時に導入することを特徴とする膜ろ過装置の逆洗方法。
【請求項２】
前記ヘッダ管を前記ケーシングより高所に、かつ水平方向に配設した前記膜ろ過装置の逆洗方法であって、逆洗操作に際して、ヘッダ管中の保有水を排出した後、ヘッダ管に逆洗用洗浄水を送給して充満させる請求項１に記載の膜ろ過装置の逆洗方法。
【請求項３】
並列させた複数のろ過膜内蔵ケーシングと各ケーシングそれぞれに接続されたモジュールヘッダ管とからなるモジュールを複数並列させるとともに、その複数の各モジュールヘッダ管それぞれに接続されたユニットヘッダ管を備えた膜ろ過装置の逆洗方法であって、逆洗操作に際して、前記モジュールヘッダ管と前記ユニットヘッダ管の中の保有水を排出した後、ユニットヘッダ管を通じて各ヘッダ管に逆洗用洗浄水を送給して充満させた後、その洗浄水を各ケーシングに同時に導入することを特徴とする膜ろ過装置の逆洗方法。
【請求項４】
並列させた複数のろ過膜内蔵ケーシングからろ過水を取り出すため各ケーシングそれぞれに接続されたヘッダ管に、洗用洗浄水を導入して逆洗可能とした膜ろ過装置であって、前記ヘッダ管を前記ケーシングより高所に、かつ水平方向に配設するとともに、そのヘッダ管の末端部分にドレン管を設けたことを特徴とする膜ろ過装置。
【請求項５】
前記ヘッダ管の末端部分にエア抜き管を設けた請求項４記載の膜ろ過装置。
【発明の詳細な説明】
【技術分野】
【０００１】
本発明は、膜ろ過装置の逆洗方法およびそれに適用する膜ろ過装置に関するものであって、特に、逆洗時間の短縮および洗浄水の節減などの改良に関する。
【背景技術】
【０００２】
膜ろ過装置の逆洗の原理を図３により説明すると、ろ過運転時は、ろ過膜１３を内蔵するケーシング１ａの１次室１１に、原水槽１０から送給管１４を経て原水ａが送り込まれ、ろ過が行われ、残余は返送管１５を経て返送原水ｂとして原水槽１０へ返送される循環経路が形成される。この間に、ろ過膜１３を通過したろ過水ｃは２次室１２から取水管１６を経て外部に取り出される。
【０００３】
このろ過操作が進行するに伴い、１次室１１側膜面のろ過ケーキが堆積し、ろ過性能が順次低下するので、適当な時期にケーキ層を除去する膜洗浄を行う。この膜洗浄においては、２次室１２に洗浄水ｄを送給し、１次室１１に向けてろ過膜１３を通過させることにより、前記１次室１１側膜面に堆積したろ過ケーキを剥離、除去する逆圧洗浄（以下、逆洗という）が利用されている。この場合の洗浄水には、酸、アルカリ、オゾン、次亜塩素酸塩などの化学成分を添加、利用するのも好ましい。
【０００４】
このような、膜ろ過装置の逆洗方法の関して、多くの改良が行われている。例えば、本発明出願人も特許文献１に示すような逆洗方法を提案している。すなわち、膜ろ過装置のろ過水側に洗浄化学成分を含む洗浄水を導入し、この洗浄水を前記膜のケーキ層に接する膜面まで浸透させる浸透ステップ、この段階で洗浄水のろ過膜内の移動を停止させ、この浸透状態を所定時間保持する保持ステップ、この保持ステップ終了後、洗浄化学成分を含まない洗浄水でろ過膜からケーキ層を剥離、除去し逆圧洗浄する逆洗ステップを順次行う逆洗方法であり、洗浄効果を向上させ、かつ洗浄化学成分の使用量を低減することができるものである。（特許文献１を参照のこと）
【０００５】
【特許文献１】特開２００２−５２３２１号公報：特許請求の範囲、段落００１６、図１。
【０００６】
このような逆洗方法では、ろ過操作を停止して、取水管１６中のろ過水ｃの流れを洗浄水ｄの流れに切り替えて行うのであるが、実機の膜ろ過装置の場合は、ろ過膜を内蔵する多数のケーシングを列設させてモジュールが構成されている。例えば、図３にように、ケーシング１ａ、１ｂ、１ｃ、・・のように列設し、共通の取水管１６にそれぞれが接続されている。このように構成されているため、逆洗に際して取水管１６の先端から洗浄水ｄを送給すると、洗浄水ｄの送給方向からみて、最前位置のケーシング１ａから、ケーシング１ｂ、ケーシング１ｃの順に後方になるに従い、逆洗の開始タイミングが順次遅れることになる。
【０００７】
そのため、最後位置のケーシングの逆洗が完了する時期には最前位置のケーシング１ａの逆洗は過剰な時間が経過することになるのように、多くのケーシングから構成されるモジュールの場合は、逆洗時間が単体のケーシングの逆洗時間より長時間を要することになり、その結果、洗浄水や含有化学成分も相当分が無駄になるという問題があった。また実機の膜ろ過装置では、このようなモジュールをいくつか列設して組立てられるユニットから構成されるので、前記逆洗の開始タイミングはさらに一層遅れるので無駄も多くなるという問題があった。
【発明の開示】
【発明が解決しようとする課題】
【０００８】
本発明は、上記の問題点を解決するためになされたものであり、ろ過膜を内蔵する多数のケーシングを並列させてモジュールが構成されている実機の膜ろ過装置の場合において、逆洗の開始タイミングの遅れを解消し、逆洗時間の短縮および洗浄水、化学成分の節減を可能とする膜ろ過装置の逆洗方法およびそれに適用する膜ろ過装置を提供する。
【課題を解決するための手段】
【０００９】
上記の問題は、並列させた複数のろ過膜内蔵ケーシングからろ過水を取り出すため各ケーシングそれぞれに接続されたヘッダ管に、逆洗用洗浄水を導入して逆洗する膜ろ過装置の逆洗方法であって、前記ヘッダ管に逆洗用洗浄水を充満させた後、その洗浄水を各ケーシングに同時に導入することを特徴とする第１発明の膜ろ過装置の逆洗方法によって、解決することができる。
【００１０】
本発明は、前記ヘッダ管を前記ケーシングより高所に、かつ水平方向に配設した前記膜ろ過装置の逆洗方法であって、逆洗操作に際して、ヘッダ管中の保有水を排出した後、ヘッダ管に逆洗用洗浄水を送給して充満させる前記の膜ろ過装置の逆洗方法として好ましく具体化される。
【００１１】
さらに、前記の問題は、第２発明であるところの、並列させた複数のろ過膜内蔵ケーシングと各ケーシングそれぞれに接続されたモジュールヘッダ管とからなるモジュールを複数並列させるとともに、その複数の各モジュールヘッダ管それぞれに接続されたユニットヘッダ管を備えた膜ろ過装置の逆洗方法であって、逆洗操作に際して、前記モジュールヘッダ管と前記ユニットヘッダ管の中の保有水を排出した後、ユニットヘッダ管を通じて各ヘッダ管に逆洗用洗浄水を送給して充満させた後、その洗浄水を各ケーシングに同時に導入することを特徴とする、本発明の膜ろ過装置の逆洗方法によって解決される。
【００１２】
また、前記の問題は、第３発明であるところの、並列させた複数のろ過膜内蔵ケーシングからろ過水を取り出すため各ケーシングそれぞれに接続されたヘッダ管に、洗用洗浄水を導入して逆洗可能とした膜ろ過装置であって、前記ヘッダ管を前記ケーシングより高所に、かつ水平方向に配設するとともに、そのヘッダ管の末端部分にドレン管を設けたことを特徴とする、本発明の膜ろ過装置によって解決される。
この発明では、前記ヘッダ管の末端部分にエア抜き管を設けた形態がより好ましい。
【発明の効果】
【００１３】
本発明の第１発明である膜ろ過装置の逆洗方法は、逆洗に際して、前記した各ケーシングに接続されたヘッダ管に、逆洗用洗浄水を充満させた後、その洗浄水を各ケーシングに同時に導入するので、従来発生していたような、逆洗の開始タイミンの遅れが生じないから、複数のケーシング全体の逆洗時間が最小時間となるという利点が得られ、かつ洗浄水や化学成分も最小量で済むという利点が得られる。
【００１４】
また、前記ヘッダ管を前記ケーシングより高所に、かつ水平方向に配設した前記膜ろ過装置を用いた本発明の逆洗方法では、逆洗操作に際して、ヘッダ管中の保有水を排出するときに、ケーシング内に滞留するろ過水を満水状態に維持できるから、逆洗時に空気を巻き込む不都合が生じない。また、逆洗用洗浄水をヘッダ管を一旦空にしてから送給する場合には、各ケーシングに所定の濃度の洗浄水を短時間で充満させることができるから、洗浄時間合計がより短縮できる利点が得られる。
【００１５】
本発明の第２発明である膜ろ過装置の逆洗方法は、前記したように並列させた複数のろ過膜内蔵ケーシングからなるモジュールを構成し、それらを複数並列させてなるユニットを構成する実機の膜ろ過装置において、各ケーシングのそれぞれに接続されろ過水をモジュール単位で集約するモジュールヘッダ管と、その複数のモジュールヘッダ管をユニット単位で集約するユニットヘッダ管の中の保有水を排出した後、ユニットヘッダ管を通じて各モジュールヘッダ管に逆洗用洗浄水を送給して充満させ、次いでその洗浄水を各ケーシングに同時に導入するので、前記に同じく、モジュール相互間およびケーシング相互間において逆洗開始のタイミンの遅れがなく、所定濃度の洗浄水を送給できるから、逆洗時間が最小時間で済むうえ、洗浄水、化学成分も最小量で済むという利点が得られる。
【００１６】
また、第３発明の膜ろ過装置によれば、複数のろ過膜内蔵ケーシングそれぞれに接続された共通のヘッダ管を前記ケーシングより高所に、かつ水平方向に配設するとともに、そのヘッダ管の末端部分にドレン管を設けたことにより、逆洗に際して、ヘッダ管内に滞留するろ過水をドレン管を通じて排出できるから、洗用洗浄水を円滑に送給して充満させることができる。そして、その段階で加圧すれば、洗浄水を各ケーシングに同時に導入可能となり、逆洗開始タイミンに遅れがなく揃えることができるという本発明の逆洗方法における利点が得られるのである。
【００１７】
また、特に、共通のヘッダ管を前記ケーシングより高所に、かつ水平方向に配設しているので、ろ過水をドレン管を通じて排出するときに、ケーシング内の保有水がヘッダ管を通じて漏出することがなく満水状態が維持でき、逆洗操作に障害となる空気を巻き込むという不具合が生じないのは如上の通りである。
【００１８】
このように本発明によれば、複数のケーシングからなるモジュールを更に複数並列させたユニットからなる実機の膜ろ過の逆洗において、逆洗時間が最小時間で済むうえ、洗浄水や化学成分も最小量で済むという優れた効果がある。よって本発明は、従来の問題点を解消した膜ろ過装置の逆洗方法および膜ろ過装置として、価値はきわめて大なるものがある。
【発明を実施するための最良の形態】
【００１９】
次に、本発明の膜ろ過装置の逆洗方法および膜ろ過装置に係る実施形態について、図１〜３を参照しながら説明する。
【００２０】
（第１、３発明）
第３発明である膜ろ過装置の概念を示すフローチャート図１を参照して、第１発明の膜ろ過装置の逆洗方法も併せ説明する。
この膜ろ過装置のフローチャートは、図３で説明したものと基本的に類似する。すなわち、原水槽２とろ過膜内蔵ケーシング３の１次室３１には原水槽２から原水ａを送り込む送給管４１が配設され、その１次室３１の他端には原水槽２へ返送原水ｂを送り返す返送管４２が配設されている。１次室３１に送り込まれた原水ａは、ろ過膜３３によってろ過され、ろ過水ｃとなって２次室３２内に移動する。残余の原水は返送原水ｂとして原水槽２へ返送され、循環流路を構成している。
【００２１】
２次室３２に移動したろ過水ｂは、取水枝管５１を経由してヘッダ管５に送り込まれ、ヘッダ管５の一端に接続された取水管５２から外部に取り出せるよう構成されている。
なお、この事例では、原水が循環するようなクロスフローろ過を例として説明しているが、本発明は流路がろ過膜で遮断されるようなデッドエンドろ過の場合にも同様に適用されることはもちろんである。
【００２２】
そして、ろ過の進行に伴い、１次室３１側膜面にろ過ケーキが堆積した場合に、ろ過操作を中止し、ヘッダ管５を経由し２次室３２に洗浄水ｄを送給し、ろ過膜３３を通過させることにより、堆積した前記ろ過ケーキを剥離、除去する逆洗を行う点で、図３の場合と同様である。
【００２３】
なお、ヘッダ管とは、一般に、液体など流体を流通する主管を一度に多数の枝配管に分岐するとき、または多数の枝配管を一度に合流させる場合に用いる太い管（パイプ）または胴などをいい、配管ヘッダ、管寄せ、配管分配器ともいう。ボイラ，熱交換器、エンジン等において、ヘッダ管はしばしば用いられる流体分配機構であって、枝配管のサイズに比べてヘッダ管は径サイズを十分大きくとることにより、枝配管に分配される流量を平均化する機能がある。
【００２４】
本発明の特徴の第１は、図示のろ過膜内蔵ケーシング３ａ、３ｂ、３ｃ、のように、それらケーシングを複数、並列させているろ過装置の実機を対象としており、それぞれは、２次室から接続管５１ａ、５１ｂ、５１ｃを通じて共通のヘッダ管５に接続されていて、このヘッダ管５によって、ろ過水ｃを合流させて取り出す、あるいは、逆洗用洗浄水ｄを各２次室に分配する目的に供されるよう構成されている。なお、この事例では、３個のケーシングを示すが、本発明ではこのケーシング数に限定されるものではない。
【００２５】
本発明の特徴の第２には、このこのように構成されたケーシング３とヘッダ管５との関係において、前記ヘッダ管５を前記ケーシング３より高所に、かつ水平方向に配設するとともに、そのヘッダ管５の末端部分には内部の液体を排出できる、開閉用バルブ（図示せず）を備えたドレン管５３を設けている。この場合、このヘッダ管５の末端部分に空気を流通させる、開閉用バルブ（図示せず）を備えたエア抜き管５４を設けるのが好ましい。
【００２６】
本発明の第１発明の逆洗方法は、このような膜ろ過装置によって好ましく実用化することができる。すなわち、第１発明の要点は、膜ろ過装置の逆洗に際して、前記のヘッダ管５に化学成分を含む逆洗用洗浄水ｄを充満させた後、その洗浄水ｄを各ケーシング３ａ、３ｂ、３ｃ、に同時に導入する方法である。
この方法の具体的実施手順として次の逆洗１）、逆洗２）の方法がある。
【００２７】
逆洗１）：ａ）逆洗に際して、ろ過運転を停止し、取水管５２からに排水を停止する。この場合、各ケーシング内は満水状態を保持する。
ｂ）次いで、取水管５２から化学成分を含む逆洗用洗浄水ｄをヘッダ管５内に送り込むと同時に、末端のドレン管５３からヘッダ管５内のろ過水を抜き出して、管内を逆洗用洗浄水ｄで置換し充満させる。
ｃ）次いで、ヘッダ管内を加圧して、各ケーシングの２次室に洗浄水ｄを送り込み、ろ過膜を逆方向に通過させて洗浄する。洗浄水ｄを送り込みの制御は、ヘッダ管内、ケーシング内の圧力を調整して行う。
【００２８】
逆洗２）：ａ）上に同じ。
ｂ）次いで、末端のドレン管５３からヘッダ管５内のろ過水を抜き出して、ヘッダ管５内を空にする。その後、取水管５２から化学成分を含む逆洗用洗浄水ｄをヘッダ管５内に送り込んで管内を逆洗用洗浄水ｄで充満させる。この場合、エア抜き管５４から空気を抜きながら行う。
ｃ）：１）と同じ。
【００２９】
逆洗１）、２）では、ヘッダ管から各ケーシングに同時に洗浄水を送り込むことができるという本発明の利点が得られる。なお、逆洗１）ではヘッダ管に洗浄水を送り込むとき、内部に保有されるろ過水と混合され、化学成分の濃度が低下するので、所定の濃度の洗浄水が充満するのはやや時間がかかるという問題があるが、逆洗２）では、ろ過水排出と洗浄水充満とを分離したので、混合による遅延がなくなるので、結果として最短時間で充満できる点が改善されている。
【００３０】
以上説明したように、第１発明を具体化することができ、本発明では、逆洗に際して、複数のろ過膜内蔵ケーシング３ａ、３ｂ、３ｃのそれぞれに接続されたヘッダ管５に、逆洗用洗浄水ｄを充満させた後、その洗浄水を各ケーシングに同時に導入するので、従来発生していたような、逆洗の開始タイミンの遅れが生じないから、複数のケーシング全体の逆洗時間が最小時間で済むうえ、洗浄水も最小量で済むという利点が得られる。
【００３１】
その作用効果を具体的に例示すると、ろ過膜内蔵ケーシングを１０台並列させ、共通のヘッダ管を配設した膜ろ過装置（１モジュール）の逆洗所要時間（ろ過運転の停止〜逆洗終了）を比較すると、従来例（ケーシングに順次、洗浄水を送り込むケース）を１００とした場合、上記逆洗１）では９２、上記逆洗２）では８３であって、大幅な時間削減が可能となった。また、洗浄水に使用量も洗浄時間に比例するので、本発明では洗浄水や化学成分も従来方法に比べ約８０％から９０％の最小量で済ませることができるのである。
【００３２】
さらに、本発明では、前記ヘッダ管５を前記ケーシング３ａ、３ｂ、３ｃより高所に、かつ水平方向に配設した前記膜ろ過装置を用いるので、逆洗操作に際して、ヘッダ管５中の保有水を排出に当ってケーシング内に滞留するろ過水を満水状態のままのレベルが維持できるから、逆洗水に空気を巻き込む不都合が生じない。
【００３３】
前記ヘッダ管を前記ケーシングより高所に、かつ水平に配設されるのは、この説明で明らかなように、ヘッダ管５中の保有水を排出に当ってケーシング３内に滞留するろ過水が同伴して排水されることなく、満水状態が維持できるようにするためであり、ここでいう高所とは、この目的が達成される最低限の高さでよい。
【００３４】
（第２発明）
本発明の実施形態を図２を参照して説明すると、先ず、並列させた複数のろ過膜内蔵ケーシング３Ａと各ケーシングそれぞれに接続されたモジュールヘッダ管５Ａとからなる単位をモジュールと呼称するとし、このモジュールを複数並列させ、かつ、その複数のモジュールが有するモジュールヘッダ管５Ａ、５Ｂそれぞれに接続されたユニットヘッダ管６を備えた膜ろ過装置の単位をユニットと呼称するとし、実際の浄水施設などで用いられている実機である、ユニットから構成される膜ろ過装置の逆洗方法である。
【００３５】
この場合、逆洗操作に際して、前記モジュールヘッダ管５Ａ、５Ｂと前記ユニットヘッダ管６の中の保有水を排出した後、取水管６２からユニットヘッダ管６を通じて各ヘッダ管５Ａ、５Ｂに逆洗用洗浄水ｄを送給して充満させた後、その洗浄水を各ケーシング３Ａ、３Ｂに同時に導入する。なお、この事例では、２組のモジュールを示すが、本発明ではこのモジュール数に限定されるものではない。
【００３６】
また、逆洗用洗浄水ｄは、先ず、ユニットヘッダ管６に充満させ、次いで各モジュールヘッダ管５Ａ、５Ｂに充満させるよう、送り込むのがよく、ユニットヘッダ管６に充満させるには、具体的には、１）ろ過水を排出させながら同時に洗浄水を送り込む方法、２）ろ過水を排出させてユニットヘッダ管内をいったん空にしてから洗浄水を送り込む方法がある。以下、モジュールヘッダ管５Ａ、５Ｂに充満させるには、先に説明した第１発明の場合に説明した逆洗１）、２）の方法が採用される。
【００３７】
第２発明である膜ろ過装置の逆洗方法は、前記したように並列させた複数のろ過膜内蔵ケーシング３Ａ、３Ｂから構成されるモジュールを複数、並列させてなるユニットからなる実機の膜ろ過装置において、逆洗に際して、各ケーシングのそれぞれに接続されろ過水をモジュール単位で集約するモジュールヘッダ管５Ａ、５Ｂと、その複数のモジュールヘッダ管をユニット単位で集約するユニットヘッダ管６の中の保有水を排出した後、ユニットヘッダ管６を通じて各モジュールヘッダ管５Ａ、５Ｂに逆洗用洗浄水を送給して充満させ、次いでその洗浄水を各ケーシングに同時に導入するので、第１発明の場合に同じく、逆洗の開始タイミンの遅れがなく、同質の洗浄水を送給できるから、逆洗時間が最小時間で済むうえ、洗浄水も最小量で済むという利点が得られる。
【００３８】
その作用効果を具体的に例示すると、ろ過膜内蔵モジュールを３台並列させ、共通のユニットヘッダ管を配設した膜ろ過装置の１ユニットの逆洗所要時間（ろ過運転の停止〜逆洗終了）を比較すると、従来例（ユニットヘッダ管からモジュールヘッダ管を通じて各ケーシングに順次、洗浄水を送り込むケース）を１００とした場合、この第２発明の逆洗方法（ろ過水排出と洗浄水充満とを分離した逆洗）では４１であって、削減率が約６０％に達する大幅な時間削減が可能となった。また、洗浄水に使用量も洗浄時間に比例するので、本発明では洗浄水や化学成分も従来方法に比べ約４０％の最小量で済ませられ、さらに、並列モジュール数を増やした場合には一層、効果的であることがわかった。
【図面の簡単な説明】
【００３９】
【図１】本発明の第１、２実施形態を説明するためのフローチャート（概念図）
【図２】本発明の第３実施形態を説明するためのフローチャート（概念図）
【図３】逆洗操作を説明するためのフローチャート（概念図）
【符号の説明】
【００４０】
２：原水槽
３：ろ過膜内蔵ケーシング、３ａ、３ｂ、３ｃ：ろ過膜内蔵ケーシング、３１：１次室、３２：２次室、３３：ろ過膜
４１：送給管、４２：返送管
５：ヘッダ管、５１ａ、５１ｂ、５１ｃ：接続管、５２：取水枝管、５３：ドレン管、５４：エア抜き管
ａ：原水、ｂ：返送原水、ｃ：ろ過水、ｄ：洗浄水
【図１】
2008207143.tif 000003
【図２】
2008207143.tif 000004
【図３】
2008207143.tif 000005